(57)【要約】【課題】チャンネルスキャン時間を短縮する地上ディジタル受信装置のスキャン方法を提供する。【解決手段】地上ディジタル放送を受信してプリセットを行う地上ディジタル受信装置のチャンネルスキャン方法であって、各地域によって地上ディジタル放送局ごとに割り付けられるチャンネルから日本放送協会の総合放送および教育放送のチャンネルに対応した周波数からなるメモリに記録されたＮＨＫチャンネルテーブルに基づいてネットワークインフォメーションテーブルを解析してネットワーク識別またはトランスポートストリーム識別を抽出して地域テーブル作成し、地域テーブルにあるネットワーク識別またはトランスポートストリーム識別からリモコンキー識別を抽出してチャンネルプリセットを行う地上ディジタル受信装置のチャンネルスキャン方法。【選択図】      図２
2008271335.tif 000002
【特許請求の範囲】
【請求項１】
日本放送協会の総合放送もしくは教育放送の地域毎の周波数が記憶されたＮＨＫチャンネルテーブルと、各地域で受信可能な周波数が該地域を示す地域情報と対応付けて記憶された地域テーブルと、プリセットのための周波数を記憶するプリセットテーブルとを有する地上ディジタル受信装置におけるスキャン方法であって、
前記ＮＨＫチャンネルテーブルに記憶された周波数のいずれか一つの放送波を受信する受信ステップと、
前記受信ステップにおいて受信した放送波の受信状態を判定する受信状態判定ステップと、
前記受信状態判定ステップにおいて受信状態が良好と判断された放送波から前記地域情報を取得する地域情報取得ステップと、
前記地域情報取得ステップにおいて取得した前記地域情報と同じ地域情報と対応付けて記憶されている周波数を前記地域テーブルから読み出す読み出しステップと、
前記読み出しステップにおいて読み出された前記周波数を前記プリセットテーブルに記憶するプリセットステップと
を有することを特徴とする地上ディジタル受信装置のスキャン方法。
【請求項２】
前記受信ステップは、前記ＮＨＫチャンネルテーブルに記憶された周波数のうち、前記総合放送もしくは前記教育放送に割り付けられた周波数を同じ周波数毎に合計した時の前記合計の総数が多い周波数順に受信することを特徴とする請求項１に記載の地上ディジタル受信装置のチャンネルスキャン方法。
【請求項３】
前記地域情報は、各都道府県毎に北海道から順に割り当てられた地域番号を有し、
前記ＮＨＫチャンネルテーブルに記憶された前記周波数は前記地域番号と対応付けて記憶されていることを特徴とする請求項１または請求項２に記載の地上ディジタル受信装置のチャンネルスキャン方法。
【請求項４】
前記受信状態判定ステップにおいて取得した前記地域番号に近い地域番号と対応付けて記憶されている周波数から優先して読み出されるように前記ＮＨＫチャンネルテーブルを並べ替えた並べ替えＮＨＫチャンネルテーブルを生成する生成ステップ
を有することを特徴とする請求項３に記載の地上ディジタル受信装置のチャンネルスキャン方法。
【請求項５】
前記地域情報取得ステップにおいて取得した前記地域番号に近い地域番号と対応付けて記憶されている周波数を前記地域テーブルから読み出す隣接地域周波数読み出しステップと、
前記隣接地域周波数読み出しステップにおいて読み出された周波数の放送波を受信する隣接地域受信ステップと、
前記隣接地域番号受信ステップにおいて受信した放送波の受信状態を判定する隣接地域受信状態判定ステップと、
前記隣接地域受信状態判定ステップにおいて受信状態が良好と判断された放送波の周波数と同じ周波数がプリセットテーブルに記憶されているか判断する判断ステップと、
前記判断ステップにおいて前記同じ周波数がプリセットテーブルに記憶されていないと判断された場合に前記隣接地域番号読み出しステップにおいて読み出された周波数を前記プリセットテーブルに記憶する隣接地域プリセットステップと、
を有することを特徴とする請求項３または４に記載の地上ディジタル受信装置のチャンネルスキャン方法。
【請求項６】
前記並べ替えＮＨＫチャンネルテーブルが生成された後に行われる前記受信ステップは、前記ＮＨＫチャンネルテーブルに記憶された周波数の放送波を受信するか、前記並べ替えＮＨＫチャンネルテーブルに記憶された周波数の放送波を受信するか選択されることを特徴とする請求項４に記載の地上ディジタル受信装置のチャンネルスキャン方法。
【請求項７】
前記選択は、チャンネルテーブル選択フラグに基づいて行われ、前記チャンネルテーブル選択フラグは、前記地上ディジタル受信装置の電源がオンされ、前記並べ替えＮＨＫチャンネルテーブルが生成された後に行われる前記受信ステップにおいて前記並べ替えＮＨＫチャンネルテーブルに記憶された周波数の放送波を受信するように設定されるとともに、前記電源がオフされると前記受信ステップにおいて前記ＮＨＫチャンネルテーブルに記憶された周波数の放送波を受信するように設定されることを特徴とする請求項６に記載の地上ディジタル受信装置のチャンネルスキャン方法。
【請求項８】
前記選択は、前記プリセットテーブルに記憶された周波数の受信状態に基づいて行われることを特徴とする請求項６に記載の地上ディジタル受信装置のチャンネルスキャン方法。
【発明の詳細な説明】
【技術分野】
【０００１】
本発明は、地上ディジタル受信装置のチャンネルスキャン開始時に各地域のＮＨＫ（日本放送協会）のチャンネルをスキャンし、受信した放送波から取得した地域情報に基づいてその地域で受信可能なチャンネル群を抽出してプリセットする技術に関する。
【背景技術】
【０００２】
従来、地上ディジタル放送受信装置のチャンネル設定方法として、各地域で受信可能なチャンネル群を予め記憶部にそれぞれ記憶しておき、利用者が地域情報を入力することでその地域情報に対応するチャンネル群を記憶部から呼び出してプリセットする方法や全てのチャンネル（１３ｃｈ〜６２ｃｈ）をスキャンし、受信可能であると判断したチャンネルをプリセットする方法がある。
【０００３】
ところが、利用者が地域情報を入力する方法では、利用者自ら設定を行わないといけない煩わしさがあり、全チャンネル（１３ｃｈ〜６２ｃｈ）をフルスキャンする方法では、スキャン時間がかかるという問題がある。
【０００４】
この問題を解決する技術の１つとして、特許文献１および特許文献２には、所定のエリア毎に、各エリアで受信可能なチャンネル群を予め記憶部に記憶した放送受信機において、所定の順番でチャンネルを選局し、最初に受信可能であると判断したチャンネルの放送信号から地域情報を取得することでその地域情報に対応するチャンネル群を記憶部から読み出してプリセットする放送受信機が提案されている。
【０００５】
しかしながら、特許文献１、２の放送受信機の場合、チャンネルの検索順や検索する地域によっては全チャンネルをスキャンしたときと同等の時間を必要とする場合がある。
【特許文献１】特開２００６−０１４０２５号公報
【特許文献２】特開２００６−０２０１７８号公報
【発明の開示】
【発明が解決しようとする課題】
【０００６】
本発明は上記のような実情に鑑みてなされたものであり、チャンネルの検索順や検索する地域に関わらず、確実にチャンネルスキャン時間を短縮する地上ディジタル受信装置のスキャン方法を提供することを目的とする。
【課題を解決するための手段】
【０００７】
本発明の地上ディジタル受信装置におけるスキャン方法は、日本放送協会の総合放送もしくは教育放送の地域毎の周波数が記憶されたＮＨＫチャンネルテーブルと、各地域で受信可能な周波数が該地域を示す地域情報と対応付けて記憶された地域テーブルと、プリセットのための周波数を記憶するプリセットテーブルとを有し、前記ＮＨＫチャンネルテーブルに記憶された周波数のいずれか一つの放送波を受信する受信ステップと、前記受信ステップにおいて受信した放送波の受信状態を判定する受信状態判定ステップと、前記受信状態判定ステップにおいて受信状態が良好と判断された放送波から前記地域情報を取得する地域情報取得ステップと、前記地域情報取得ステップにおいて取得した前記地域情報と同じ地域情報と対応付けて記憶されている周波数を前記地域テーブルから読み出す読み出しステップと、前記読み出しステップにおいて読み出された前記周波数を前記プリセットテーブルに記憶するプリセットステップとを有することを特徴とする。
【０００８】
本発明のスキャン方法によれば、全チャンネル（１３ｃｈ〜６２ｃｈ）をスキャンするのではなくＮＨＫ（総合放送もしくは教育放送）のチャンネルのみをスキャンするため、全国どの地域でスキャンしても、どのような検索順でスキャンしても、全チャンネルをスキャンした場合のチャンネルスキャン時間より確実に時間短縮することができる。
【０００９】
また、本発明の受信ステップは、前記ＮＨＫチャンネルテーブルに記憶された周波数のうち、前記総合放送もしくは前記教育放送に割り付けられた周波数を同じ周波数毎に合計した時の前記合計の総数が多い周波数順に受信してもよい。
【００１０】
上記チャンネルスキャン方法によれば、さらに確実にチャンネルスキャン時間を短縮することができる。
また、本発明の地域情報は、各都道府県毎に北海道から順に割り当てられた地域番号とを有し、前記ＮＨＫチャンネルテーブルに記憶された前記周波数は前記地域番号と対応付けて記憶されていてもよい。
【００１１】
また、本発明の受信状態判定ステップにおいて取得した前記地域番号に近い地域番号と対応付けて記憶されている周波数から優先して読み出されるように前記ＮＨＫチャンネルテーブルを並べ替えた並べ替えＮＨＫチャンネルテーブルを生成する生成ステップを有していてもよい。
【００１２】
上記チャンネルスキャン方法によれば、利用者が隣接地域に移動して再度チャンネルスキャンを行う場合のチャンネルスキャン時間を短縮することができる。
また、本発明のチャンネルスキャン方法は、前記地域情報取得ステップにおいて取得した前記地域番号に近い地域番号と対応付けて記憶されている周波数を前記地域テーブルから読み出す隣接地域周波数読み出しステップと、前記隣接地域周波数読み出しステップにおいて読み出された周波数の放送波を受信する隣接地域受信ステップと、前記隣接地域番号受信ステップにおいて受信した放送波の受信状態かどうか判定する隣接地域受信状態判定ステップと、前記隣接地域受信状態判定ステップにおいて受信状態が良好と判断された放送波の周波数と同じ周波数がプリセットテーブルに記憶されているか判断する判断ステップと、前記判断ステップにおいて前記同じ周波数がプリセットテーブルに記憶されていないと判断された場合に前記隣接地域番号読み出しステップにおいて読み出された周波数を前記プリセットテーブルに記憶する隣接地域プリセットステップとを有していてもよい。
【００１３】
上記チャンネルスキャン方法によれば、読み出しステップで読み出された周波数以外にも隣接する地域で放送されている周波数もプリセットすることが可能となる。
また、本発明のチャンネルスキャン方法の並べ替えＮＨＫチャンネルテーブルが生成された後に行われる前記受信ステップは、前記ＮＨＫチャンネルテーブルに記憶された周波数の放送波を受信するか、前記並べ替えＮＨＫチャンネルテーブルに記憶された周波数の放送波を受信するか選択されるようにしてもよい。
【００１４】
上記チャンネルスキャン方法によれば、利用者が隣接地域に移動して再度チャンネルスキャンを行う場合のチャンネルスキャン時間を短縮することができる。
また、本発明のチャンネルスキャン方法の選択は、チャンネルテーブル選択フラグに基づいて行われ、前記チャンネルテーブル選択フラグは、前記地上ディジタル受信装置の電源がオンされ、前記並べ替えＮＨＫチャンネルテーブルが生成された後に行われる前記受信ステップにおいて前記並べ替えＮＨＫチャンネルテーブルに記憶された周波数の放送波を受信するように設定されるとともに、前記電源がオフされると前記受信ステップにおいて前記ＮＨＫチャンネルテーブルに記憶された周波数の放送波を受信するように設定されていてもよい。
【００１５】
上記チャンネルスキャン方法によれば、利用者が隣接地域に移動して再度チャンネルスキャンを行う場合のチャンネルスキャン時間を短縮することができる。
上記チャンネルスキャン方法の選択は、前記プリセットテーブルに記憶された周波数の受信状況に基づいて行われていてもよい。
【００１６】
上記チャンネルスキャン方法によれば、利用者が隣接地域に移動して再度チャンネルスキャンを行う場合のチャンネルスキャン時間を短縮することができる。
【発明の効果】
【００１７】
本発明によれば、ＮＨＫ放送のみを受信することで地域の特定が早くできるため、チャンネルの検索順や検索する地域に関わらず、確実にチャンネルスキャン時間を短縮することができる。
【発明を実施するための最良の形態】
【００１８】
以下図面に基づいて、本発明の実施形態について詳細を説明する。
（実施例１）
（構成説明）
図１は本発明の地上ディジタル受信装置の実施例を示すブロック図である。
【００１９】
図１において、地上ディジタル受信装置１は、アンテナ２、放送局選択部３（チューナ部）、直交周波数分割多重処理部４（ＯＦＤＭ処理部）、誤り訂正部５、デマルチプレクサ部６、音声出力部７、映像出力部８、データ出力部９、制御部１０、選局データ記憶部１１、プリセットデータ記憶部１２、操作部１３などから構成される。
【００２０】
放送局選択部３は、アンテナ２によって受信した電波の中から、所望のチャンネルに対応する放送波を抽出する。
直交周波数分割多重処理部４は、放送局選択部３で抽出した放送波を復調してＴＳ（Transport Stream）を得る。
【００２１】
誤り訂正部５は、直交周波数分割多重処理部４から入力したＴＳの誤り訂正をする。
デマルチプレクサ部６では、誤り訂正部５から入力された多重化されているＴＳを分離して音声ストリーム、映像ストリームおよびデータストリームを出力する。
【００２２】
ここで、データストリームには、放送局ごとに送出されるＮＩＴ（Network Information Table）が含まれており、ＮＩＴには、放送波を放送している放送局がある地域を示すコードなどが含まれる。
【００２３】
音声出力部７では、デマルチプレクサ部６から入力した音声ストリームをデコードして、オーディオ復号化信号として出力する。
映像出力部８では、デマルチプレクサ部６から入力した映像ストリームをデコードして、ビデオ復号化信号として出力する。
【００２４】
データ出力部９では、デマルチプレクサ部６から入力したデータストリームをデコードして、データ復号化信号として出力する。
制御部１０はＣＰＵやメモリなどを備えおり、放送局選択部３、ＯＦＤＭ処理部４、デマルチプレクサ部６、選局データ記憶部１１、プリセットデータ記憶部１２、操作部１３などの制御を行う。
【００２５】
例えば、制御部１０は、データ復号化信号からＮＩＴを抽出して選局データ記憶部１１に保存する。ＮＩＴは、例えばネットワーク識別番号、地域識別番号、放送局名、地域番号などのデータが含まれている。
【００２６】
なお、制御部１０はマイクロプロセッサやプログラマブルデバイスに外部記録媒体に記録されたプログラムを読み込ませて上記制御処理を行ってもよい。
選局データ記憶部１１は例えばＲＯＭ、ＲＡＭなどにより構成されている。本実施の形態では、ＮＨＫチャンネルテーブル、地域テーブルなどを記録している。
【００２７】
ＮＨＫチャンネルテーブルは、日本全国のＮＨＫ（総合放送もしくは教育放送）のチャンネルの周波数が記録されている。
図３に本実施例におけるＮＨＫチャンネルテーブルを示す。
【００２８】
図３に示すＮＨＫチャンネルテーブルは、日本全国の総合放送もしくは教育放送に割り付けられている周波数の中から、多くの放送局で使用されている周波数から順に記録されている。つまり、使用されている周波数が多い順にすることでスキャンしたときに現在いる地域のＮＨＫを早く検出することができる。
【００２９】
図３のＮＨＫチャンネルテーブルでは先頭（一番最初に読み出される領域）に１３チャンネル（４７３．１４２８５７（ＭＨｚ））が記録され、その後に１５（４８５．１４２８５７（ＭＨｚ））、１４（４７９．１４２８５７（ＭＨｚ））、ｍ（５５１．１４２８５７（ＭＨｚ））、ｎ（５１５．１４２８５７（ＭＨｚ））〜５７チャンネル（７３７．１４２８５７（ＭＨｚ））の順で記録されている。１３チャンネルは全国のＮＨＫにおいて最も多くの放送局で使用されているチャンネルである。１５チャネルは次に多く割り振られている。ｍチャンネルは３番目、ｎチャンネルは４番面に記録されているチャンネルであることを示している。５５チャンネル、５７チャンネルは最も割り当てられていないチャンネルである。
【００３０】
なお、図３には便宜上周波数とともにその周波数に対応するチャンネル番号が記載されているが、実際のＮＨＫチャンネルテーブルには周波数のみが記憶されていればよい。
地域テーブルは、地域識別番号によって分類される複数の地域毎に受信可能なチャンネルの周波数情報をＮＩＴに含まれている図４に示すような情報（ネットワーク識別番号、地域識別番号、地域番号、放送局名等）と対応させて記憶されている。
【００３１】
ここで、本実施例では、地域識別番号は、例えば日本の４７都道府県を６２に分割したそれぞれの地域に対して用意されている番号を指し、地域番号は、例えば４７都道府県を５０に分割したそれぞれの地域に対して用意されている番号を指す。
【００３２】
なお、地域番号は、北海道、青森、岩手〜沖縄（北〜南）の順に番号を割り付けてられている。
プリセットデータ記憶部１２（プリセットテーブル）は、例えばＥＥＰＲＯＭ等の書き換え可能な記憶装置により構成されており、選局データ記憶部１１から読み出された地上波ディジタル放送受信機が存在する地域の地域識別番号に対応する周波数が記憶される。
【００３３】
操作部１３は、ＯＦＤＭ処理部４、デマルチプレクサ部６、音声出力部７、映像出力部８を制御する。例えば、ユーザの操作等によるチャンネル選択指示に対応してプリセットデータ記憶部１２に記憶されたチャンネル（周波数）の中から選択指示されたチャンネル（周波数）を選ぶための選局指示信号を出力したり、ユーザの操作等により、チャンネルプリセットを開始するチャンネルプリセット開始信号を出力したりする。
（動作説明）
図２に示すフロー図に基づいて本発明の動作を説明する。
【００３４】
ステップＳ２１（チャンネル設定ステップ）ではチャンネル設定を行う。利用者が地上ディジタル受信装置１の電源をオンにすると、選局データ記憶部１１（または制御部１０のメモリ）に記録されているＮＨＫチャンネルテーブルに記憶された複数の周波数の中から受信したい周波数を選び、選択した周波数の放送波が放送局選択部３で抽出できるように選局指示信号を制御部１０から放送局選択部３に転送する。
【００３５】
本実施例では、選局データ記憶部１１（または制御部１０のメモリ）に記録されているＮＨＫチャンネルテーブルの先頭である１３チャンネルに対応する周波数情報を制御部１０に読込み、１３チャンネルに対応した周波数を選局するための選局指示信号を生成する。そして、その選局指示信号を放送局選択部３に転送して受信周波数を合わせる。
【００３６】
ステップＳ２２（受信ステップ）では放送波をアンテナ２を介して受信し、ステップＳ２１で選局した周波数の放送波を抽出（受信）する。
ステップＳ２３（復調ステップ）では復調処理を行う。ステップＳ２２で抽出した放送波に対しＯＦＤＭ処理を行うことによりＴＳを取得する。
【００３７】
ステップＳ２４（受信状態判定ステップ）では受信状態を判定する。直交周波数分割多重処理部４の出力したＴＳに基づいて誤り訂正部５の前段においてビットエラーレート（ＢＥＲ：Bit Error Rate）を求める。
【００３８】
受信状態を判定するために予め閾値となるビットエラーレート判定値をメモリなどに記録しておく。現在のチャンネルにおけるビットエラーレートとそのビットエラーレート判定値とを比較してビットエラーレート判定値より小さいときは（受信状態が良好）ステップＳ２６に移行する。ビットエラーレート判定値より大きいときはステップＳ２５に移行する。
【００３９】
図２ではＢＥＲを用いて受信状態を判定しているが特に限定をするものではなく、ビットエラーレート以外の方法を用いて受信状態を判定してもよい。
ステップＳ２５（再チャンネル設定ステップ）ではチャンネルを再設定する。
【００４０】
実施例１では、１３チャンネルで受信状態がよくなければ、ＮＨＫチャンネルテーブルの１３チャンネルの次に記録されている１５チャンネルに対応する周波数の放送波を抽出するように放送局選択部３に選局指示信号を与える。それでも受信できない場合は、ｍ、ｎの順にチャンネルを変えて受信状態がよくなるまで行う。
【００４１】
ステップＳ２６（地域情報取得ステップ）では受信した放送波に含まれるＮＩＴを解析して、地域識別番号や地域番号等を抽出する。
ステップＳ２７（読み出しステップ）ではＮＩＴから抽出した地域識別番号に基いて選局データ記憶部１１に記憶されている地域テーブルから同じ地域識別番号の周波数、リモコンキー識別番号等を読み出す。
【００４２】
ステップＳ２８（プリセットステップ）では、ステップＳ２７において読み出した周波数等をプリセットデータ記憶部１２に記憶する。
なお、もしもチャンネル選局中にＮＨＫ（総合、教育）放送以外の放送局を受信した場合には、該放送局から地域識別番号を検出してもよい。
【００４３】
（実施例２）
図５に図２で示したステップＳ２８の後に設ける地域テーブルを調整するステップについて説明する。
【００４４】
ステップＳ５１ではステップＳ２６において抽出した地域番号に近い地域番号を選局データ記憶部１１（または制御部１０のメモリ）の地域テーブルから読み出す。
例えば、岐阜「２４」の周波数がプリセットデータ記憶部１２に記憶されていれば愛知「２３」、三重「２５」の地域番号を取得する。なお、ここでは両隣の地域番号を取得しているが、両隣を含めてさらに複数の地域番号を取得してもよい。
【００４５】
ステップＳ５２（隣接地域周波数読み出しステップ）ではステップＳ５１において取得した地域番号と対応付けて記憶されている周波数を選局データ記憶部１１（または制御部１０のメモリ）の地域テーブルから読み出し、チャンネル設定する。
【００４６】
本実施例では、愛知「２３」のチャンネル群のうち、最も低い周波数を制御部１０に読込み、該周波数を選局するための選局支持信号を生成する。そして、その選局支持信号を放送局選択部３に転送して受信周波数を合わせる。
【００４７】
ステップＳ５３（隣接地域受信ステップ）ではステップＳ５３で設定された周波数の放送波もしくは後述するステップＳ５７で設定された周波数の放送波を抽出（受信）する。  ステップＳ５４では復調処理を行う。ステップＳ５３で抽出した放送波に対しＯＦＤＭ処理を行うことによりＴＳを取得する。
【００４８】
ステップＳ５５（隣接地域受信状態判断ステップ）では受信状態を判定する。直交周波数分割多重処理部４の出力したＴＳに基づいて誤り訂正部５の前段においてビットエラーレート（ＢＥＲ：Bit Error Rate）を求める。
【００４９】
受信状態を判定するために予め閾値となるビットエラーレート判定値を制御部１９のメモリなどに記録しておく。現在のチャンネルにおけるビットエラーレートとそのビットエラーレート判定値とを比較してビットエラーレート判定値より小さいとき（受信状態が良好）はステップＳ５６に移行する。ビットエラーレート判定値より大きいとき（受信状態が悪い）は後述するステップＳ５９に移行する。
【００５０】
図５ではＢＥＲを用いて受信状態を判定しているが特に限定をするものではなく、ビットエラーレート以外の方法を用いて受信状態を判定してもよい。
ステップＳ５６（判断ステップ）では、ステップＳ５５において受信状態が良好と判断された放送波の周波数と同じ周波数が、プリセットデータ記憶部１２に記憶されているか判断する。プリセットデータ記憶部１２に記憶されたチャンネル群の中に同じ周波数が記憶されている場合は、受信した放送波を破棄してステップＳ５９に移行する。プリセットデータ記憶部１２に記憶されたチャンネル群の中に同じ周波数が記憶されていない場合は、ステップＳ５８（隣接地域プリセットステップ）に進み、プリセットされていないリモコン番号と対応付けて周波数をプリセットデータ記憶部１２に記憶する。
【００５１】
ステップＳ５９ではステップＳ５１において取得した地域番号の全てのチャンネルについて調べたかを判定する。全て調べていればこのフローを終了する。そうでないければステップＳ５７に移行して次のチャンネルを再設定する。
【００５２】
ステップＳ５７ではチャンネルを再設定する。本実施例では、愛知「２３」のチャンネル群のうちステップＳ５３で設定された周波数の次に低い周波数を設定し、以降、愛知「２３」のチャンネル群の低い周波数から順に設定する。そして、愛知「２３」の全てのチャンネルに対して設定が終了したら、次に三重「２５」のチャンネル群の低い周波数から順に設定し、三重「２５」の全てのチャンネルの設定を行う。
（実施例３）
実施例３は、利用者が移動したときに備え、ＮＨＫチャンネルテーブルを現在位置の隣接地域順に並べ替える場合について示している。
【００５３】
なお、実施例３のＮＨＫチャンネルテーブルは、「周波数」だけではなく、「周波数」と対応させて地域番号が記録されている。
図６は、実施例３の動作を示すフロー図である。ステップＳ６１〜Ｓ６８は実施例１に示すステップＳ２１〜Ｓ２８と同じステップであるため説明は省略する。
【００５４】
ステップＳ６９は、ステップＳ６６で抽出された地域番号に基づいてＮＨＫチャンネルテーブルを並べ替えたテーブル（以下、並べ替えＮＨＫチャンネルテーブル）を生成する。
【００５５】
例えば、ステップＳ６６において地域番号「２４」が抽出された場合は、地域番号「２４」に対応する周波数を一番最初に読み出される領域に記憶し、次に地域番号「２３」に対応する周波数を二番目に読み出される領域に記憶する。以降、地域番号「２５」に対応する周波数、地域番号「２２」に対応する周波数、地域番号「２６」に対応する周波数の順に記憶し、並べ替えＮＨＫチャンネルテーブルを生成する。
【００５６】
なお、本例ではＮＨＫチャンネルテーブルを現在位置の隣接地域順に並べ替えたテーブルを生成したが、異なる並べ替え方法で並べ替えＮＨＫチャンネルテーブルを生成してもよい。
（実施例４）
実施例４は利用者が移動したときのチャンネルスキャンを自動で行う方法である。
【００５７】
図７は実施例４の動作を示すフロー図である。実施例４のステップＳ７２〜Ｓ７１０は実施例３のステップＳ６１〜Ｓ６９と同じステップであるため、説明を省略する。なお、実施例２のステップＳ５１〜Ｓ５９をステップＳ７９以降に追加してもよいし、ステップＳ７１０を省略してもよい。
【００５８】
図７のステップＳ７１では、随時、受信している放送波の受信状態を判定しており、ＢＥＲ値が閾値となるビットエラーレート判定値より大きくなった場合、ステップＳ７２〜Ｓ７１０を実行することでプリセットをし直す。
【００５９】
実施例４の構成によれば、受信している放送波の受信状況が悪くなったら自動的にチャンネルプリセットを行うため、ユーザによる操作なしにチャンネルプリセットをすることができる。
（実施例５）
図８は実施例５の動作を示すフロー図である。実施例５のステップＳ８４〜Ｓ８１１は実施例３のステップＳ６１〜６９と同じステップであるため、説明を省略する。なお、実施例２のステップＳ５１〜Ｓ５９をステップＳ８１０以降に追加してもよいし、ステップＳ８１１を省略してもよい。またステップＳ８１の前に実施例４のステップＳ７１を追加してもよい。
【００６０】
図８のステップＳ８１（切り替えステップ）ではＮＨＫチャンネルテーブル選択フラグ（ＦＬＧ）の状態を判定する。ＮＨＫチャンネルテーブル選択フラグは利用者がＮＨＫチャンネルテーブルまたは並べ替えたＮＨＫチャンネルテーブルを選択するために用いるフラグである。また、フラグは制御部１０のメモリ等に割り付けられ設定を変更することができる。
【００６１】
まず、地上ディジタル受信装置の電源をオンにして、利用者がチャンネルプリセットを開始するとき、チャンネルプリセット開始信号が操作部１３から転送される。このとき、ＮＨＫチャンネルテーブル選択フラグは、ＦＬＧ＝０であるため、ステップＳ８２に進み、ＮＨＫチャンネルテーブルを使用してステップＳ８４〜Ｓ８１１の手順でチャンネルプリセットが行われる。そして、ステップＳ８１２においてＮＨＫチャンネルテーブル選択フラグ（ＦＬＧ）を立てる（ＦＬＧ＝１）。
【００６２】
なお、ＮＨＫチャンネルテーブル選択フラグ（ＦＬＧ）は、電源をオフするとＦＬＧ＝０に戻る。
電源をオフせずに地域を移動し、現在受信しているチャンネルの受信状態が悪化すると、再度スキャンを開始する。スキャンが開始されると、ステップＳ８１においてＮＨＫチャンネルテーブル選択フラグがＦＬＧ＝１であるため、ステップＳ８３に進み、並べ替えＮＨＫチャンネルテーブルを使用してＳ８４〜Ｓ８９の手順でスキャンが行われる。
【００６３】
このようにＮＨＫチャンネルテーブルと並べ替えＮＨＫチャンネルテーブルを使い分けることにより、利用者の利用状況にあったチャンネルスキャン方法を提供することができる。
【００６４】
なお、実施例５では、並び替えフラグの状態により使用するテーブルを選択したが、これに限らず、プリセットデータ記憶部１２に記憶されている周波数の受信状態から使用するテーブルを選択してもよい。
【００６５】
具体的には、図８のステップＳ８１を、プリセットデータ記憶部１２に記憶されている周波数のビットエラーレートを計測し、このビットエラーレートと予めメモリに記憶された閾値となるビットエラーレート判定値とを比較するステップに替える。この場合、ステップＳ８１２は削除する。
【００６６】
プリセットデータ記憶部１２に記憶されている周波数のビットエラーレートがビットエラーレート判定値より低い場合は前回チャンネルプリセットを行った場所から近い場所に現在いると判断してステップＳ８３に進む。プリセットデータ記憶部１２に記憶されている周波数のビットエラーレートがビットエラーレート判定値より高い場合は前回チャンネルプリセットを行った場所から遠い場所に現在いると判断してステップＳ８２に進む。
【００６７】
本発明は、上記実施の形態に限定されるものでなく、本発明の要旨を逸脱しない範囲内で種々の改良、変更が可能である。
【図面の簡単な説明】
【００６８】
【図１】本発明の地上ディジタル受信装置の構成を示すブロック図である。
【図２】実施例１の動作を示すフロー図である。
【図３】ＮＨＫチャンネルテーブルの構造を示す図である。
【図４】チャンネルテーブルの構造を示す図である。
【図５】実施例２の動作を示すフロー図である。
【図６】実施例３の動作を示すフロー図である。
【図７】実施例４の動作を示すフロー図である。
【図８】実施例５の動作を示すフロー図である。
【符号の説明】
【００６９】
１  地上ディジタル受信装置、
２  アンテナ、
３  放送局選択部、
４  直交周波数分割多重処理部、
５  誤り訂正部、
６  デマルチプレクサ部、
７  音声出力部、
８  映像出力部、
９  データ出力部、
１０  制御部、
１１  選局データ記憶部
１２  プリセットデータ記憶部、
１３  操作部、
【図１】
2008271335.tif 000003
【図２】
2008271335.tif 000004
【図３】
2008271335.tif 000005
【図４】
2008271335.tif 000006
【図５】
2008271335.tif 000007
【図６】
2008271335.tif 000008
【図７】
2008271335.tif 000009
【図８】
2008271335.tif 000010